(57)【特許請求の範囲】
【請求項１】
タブレットシート（６）と、
タブレットシート（６）の押圧を検出するペンオン検出手段（１６）と、
タブレットシート（６）の押圧を検出した後、タブレットシート（６）の押圧位置を表す押圧位置データ（ｘn，ｙn）を発生させる位置検出手段（１８）と、
押圧位置データ（ｘn，ｙn）を少なくとも次の押圧位置データが発生されるまで記憶する記憶手段（１９）と、
押圧位置データ（ｘn，ｙn）からカーソルを移動制御する絶対出力データ（Ｘn，Ｙn）を生成する出力データ生成手段（２１）と、
絶対出力データ（Ｘn，Ｙn）をパーソナルコンピュータ（１）へ出力するデータ出力手段（２４）とを備え、
タブレットシート（６）の押圧操作に従ってパーソナルコンピュータ（１）のディスプレー（５）に表示されたカーソルを移動制御する座標入力装置において、
出力データ生成手段（２１）は、押圧位置データ（ｘn，ｙn）をそのまま用いて絶対出力データ（Ｘn，Ｙn）とする絶対値出力モードと、直前に生成した絶対出力データ（Ｘn-1，Ｙn-1）にタブレットシート（６）の押圧移動前後の相対移動量を表す相対位置データ（ｘn−ｘn-1，ｙn−ｙn-1）を加えて絶対出力データ（Ｘn，Ｙn）とする相対値出力モードを選択可能で、
タブレットシート（６）の押圧位置での接触抵抗値ｒPによって選択したいずれか一方のモードで、絶対出力データを生成することを特徴とする抵抗感圧式座標入力装置。
【請求項２】
タブレットシート（６）と、
タブレットシート（６）の押圧を検出するペンオン検出手段（１６）と、
タブレットシート（６）の押圧を検出した後、タブレットシート（６）の押圧位置を表す押圧位置データ（ｘn，ｙn）を発生させる位置検出手段（１８）と、
押圧位置データ（ｘn，ｙn）を少なくとも次の押圧位置データが発生されるまで記憶する記憶手段（１９）と、
前後の押圧位置データを比較して相対位置データ（ｘn−ｘn-1，ｙn−ｙn-1）を算出し、相対位置データ（ｘn−ｘn-1，ｙn−ｙn-1）からカーソルを移動制御する相対出力データ（Ｘ´n，Ｙ´n）を生成する出力データ生成手段（３９）と、
相対出力データ（Ｘ´n，Ｙ´n）をパーソナルコンピュータ（１）へ出力するデータ出力手段（２４）とを備え、
タブレットシート（６）の押圧操作に従ってパーソナルコンピュータ（１）のディスプレー（５）に表示されたカーソルを移動制御する抵抗感圧式座標入力装置において、
タブレットシート（６）の押圧が解除されてから再び押圧を検出したときに、出力データ生成手段（３９）は、タブレットシート（６）のの押圧を解除した位置の押圧位置データ（ｘn-1，ｙn-1）と押圧を検出した位置の押圧位置データ（ｘn，ｙn）を比較して相対位置データ（ｘn−ｘn-1，ｙn−ｙn-1）を算出し、相対位置データ（ｘn−ｘn-1，ｙn−ｙn-1）から相対出力データ（Ｘ´n，Ｙ´n）を生成する絶対値出力モードと、タブレットシート（６）の押圧を解除した位置の押圧位置データ（ｘn-1，ｙn-1）を無効とし、相対出力データ（Ｘ´n，Ｙ´n）を生成しない相対値出力モードを選択可能で、
タブレットシート（６）の押圧位置での接触抵抗値ｒPによって選択したいずれか一方のモードで、相対出力データを生成することを特徴とする抵抗感圧式座標入力装置。
【請求項３】
ペンでの押圧による接触抵抗値ｒ1Pと、指での押圧による接触抵抗値ｒ2Pを判別して、出力データ生成手段（２１）（３９）のモードを選択することを特徴とする請求項１又は２記載の抵抗感圧式座標入力装置。
【請求項４】
タブレットシートと接触する接触部の曲率を異ならせた２種類のペンでの押圧による接触抵抗値ｒPの相違を判別して、出力データ生成手段（２１）（３９）のモードを選択することを特徴とする請求項１又は２記載の抵抗感圧式座標入力装置。
【請求項５】
タブレットシート（６）の押圧を検出したときの押圧位置での接触抵抗値ｒPによって、出力データ生成手段（２１）（３９）のモードを選択することを特徴とする請求項１乃至４のいずれか１項に記載の抵抗感圧式座標入力装置。
【発明の詳細な説明】
【０００１】
【発明の属する技術分野】
本発明は、タブレットシートを押圧して、押圧位置に対応してパーソナルコンピュータのディスプレーに表示されたカーソルを移動制御する抵抗感圧式座標入力装置に関する。
【０００２】
【従来の技術】
近年、ＧＵＩ（グラフィカル  ユーザー  インターフェース）環境の進展に伴い、パーソナルコンピュータ（以下パソコンという）の座標入力装置にマウスが広く用いられている。
【０００３】
すなわち、マウスを操作パッド上で移動させ、その移動操作量を表す相対位置データ（ｘn−ｘn-1，ｙn−ｙn-1）から相対出力データ（Ｘ´n，Ｙ´n）を生成してパソコンへ出力する。パソコンのデバイスドライバは、マウスからＩ／Ｏポートを経て入力されたその相対出力データ（Ｘ´n，Ｙ´n）を、それまでディスプレー上のカーソルの絶対位置を表していたカーソル制御データ（ＣＸn-1，ＣＹn-1）に加えて、新たなカーソル制御データ（ＣＸn，ＣＹn）とし、このカーソル制御データ（ＣＸn，ＣＹn）で表されたディスプレー上の位置にカーソルを移動制御する。そして、カーソルをディスプレーに表示させたアイコン上に移動させながら、マウスに備えられたマウススイッチを操作して、アイコンに表示された命令をパソコンへ入力するものである。
【０００４】
マウスは、このように操作パッド上で移動させる必要があるため、持ち運び先で操作スペースを確保できないポータブルタイプのパソコンにあっては、図８に示すようなタブレットシート６を入力面とした薄板状の抵抗感圧式座標入力装置１０７がマウスの替わりに用いられている。
【０００５】
この抵抗感圧式座標入力装置１０７は、タブレットシート６の押圧位置を公知の抵抗接触方式などタブレットにおいて用いられる位置検出手段と同じ手段によって検出するものである。そして、タブレットシート６を指、専用のペン等で押圧しながら移動させると、押圧位置を検出する毎に、タブレットシート６の押圧位置を表す押圧位置データ（ｘn，ｙn）が検出される。抵抗感圧式座標入力装置１０７は、この押圧位置データ（ｘn，ｙn）から押圧位置データ（ｘn，ｙn）をそのまま用いて絶対出力データ（Ｘn，Ｙn）とし、パソコン１へ出力する。図１のように、パソコン１のデバイスドライバ３は、Ｉ／Ｏポート４を経て入力されたその絶対出力データ（Ｘn，Ｙn）を、ディスプレー５上のカーソルの絶対位置を表わすカーソル制御データ（ＣＸn，ＣＹn）とし、前述のマウス２と同様にこのカーソル制御データ（ＣＸn，ＣＹn）で表されたディスプレー上の位置にカーソルを移動制御する。
【０００６】
従って、タブレットシート６を押圧移動操作することによって、マウスと同様にカーソルを移動制御することができる。
【０００７】
【発明が解決しようとする課題】
前述のように従来のマウスは、マウスを操作する操作スペースが必要である。また、移動操作量を表す相対出力データ（Ｘ´n，Ｙ´n）をパソコンへ出力するものであるため、図７のように、パソコン１のディスプレー５上でカーソルの表示位置（Ｏ）とアイコンの表示位置（Ａ）が離れている場合には、アイコンの表示位置（Ａ）までカーソルを移動させるのに何度も相対位置データ（ｘn−ｘn-1，ｙn−ｙn-1）を出力させる必要があり、ＯからＡ´までの相当する距離だけマウス２を移動操作する必要があった。
【０００８】
また、マウス２を移動操作する間は、常に相対出力データ（Ｘ´n，Ｙ´n）が出力されるので、カーソルの軌跡は連続し、例えば文字認識の文字入力には適さないものであった。すなわち図７のように、ディスプレー５上で文字「け」を描くためには、Ａまで移動したカーソルの移動軌跡を再びＢの位置から開始する必要があり、単に操作パッド上のＡ´からＢ´までマウス２を移動させると、図のように、ＡとＢの間にもカーソルの移動軌跡が生じ、ＯとＡ間の移動軌跡と判別することができない。従って、この間の移動によるカーソルの移動軌跡を無効とする必要があり、別のスイッチ入力によりこの間の操作を他の操作と識別する必要があった。
【０００９】
一方、前述の従来の抵抗感圧式座標入力装置１０７によれば、タブレットシート６の押圧位置（ｘn，ｙn）を絶対位置としてそのままカーソル制御データ（Ｘn，Ｙn）とするものであるため、図８のように、タブレットシート６上で、ディスプレー５のアイコンに対応する位置（Ｃ´）を押圧すれば、直ちにその押圧位置に対応する位置（Ｃ）にカーソルが移動し、押圧位置データ（ｘn，ｙn）を一度出力するだけでカーソルを離れた所定の位置まで移動制御することができる。また、上記文字入力においても、タブレットシート６の押圧を解除して、別の位置から押圧を開始することによって、互いに離れたカーソルの移動軌跡を形成することができる。
【００１０】
しかしながら、この従来の抵抗感圧式座標入力装置１０７には、次のような問題があった。第１には、常にディスプレーのカーソル位置と対応するタブレットシート６の位置を押圧する必要があるため、例えば、図８のようにディスプレー上の（Ｃ）の位置から更に（Ｄ）までカーソルを移動させる場合には、タブレットシート６の右上隅の狭いエリアで（Ｃ´）から（Ｄ´）まで押圧移動操作を行う必要があり、タブレットシート６の操作面が狭いことと相俟って、押圧操作が煩わしいものであった。
【００１１】
第２には、カーソルの移動軌跡によって例えば図形などを入力しようとする場合に、一度タブレットシート６の押圧を解除すると再び同じ位置を押圧することが困難であり、カーソルの移動軌跡によって図形を描く場合などでは、押圧移動操作の連続性が失われ、再び始めから操作をやり直さなければならないという問題があった。
【００１２】
本発明は、このような事情を考慮してなされたものであり、タブレットシート６の一度の押圧でカーソルをディスプレー５上の離れた位置に移動させることができ、しかも押圧移動操作をタブレットシート６の中央で行うことができ、また、押圧を一時解除してもカーソル移動制御の連続性が損なわれることない抵抗感圧式座標入力装置を提供する。
【００１３】
【課題を解決するための手段】
請求項１の抵抗感圧式座標入力装置は、タブレットシートと、タブレットシートの押圧を検出するペンオン検出手段と、タブレットシートの押圧を検出した後、タブレットシートの押圧位置を表す押圧位置データ（ｘn，ｙn）を発生させる位置検出手段と、押圧位置データ（ｘn，ｙn）を少なくとも次の押圧位置データが発生されるまで記憶する記憶手段と、押圧位置データ（ｘn，ｙn）からカーソルを移動制御する絶対出力データ（Ｘn，Ｙn）を生成する出力データ生成手段と、絶対出力データ（Ｘn，Ｙn）をパーソナルコンピュータへ出力するデータ出力手段とを備え、タブレットシートの押圧操作に従ってパーソナルコンピュータのディスプレーに表示されたカーソルを移動制御する座標入力装置において、
出力データ生成手段は、押圧位置データ（ｘn，ｙn）をそのまま用いて絶対出力データ（Ｘn，Ｙn）とする絶対値出力モードと、直前に生成した絶対出力データ（Ｘn-1，Ｙn-1）にタブレットシートの押圧移動前後の相対移動量を表す相対位置データ（ｘn−ｘn-1，ｙn−ｙn-1）を加えて絶対出力データ（Ｘn，Ｙn）とする相対値出力モードを選択可能で、タブレットシートの押圧位置での接触抵抗値ｒPによって選択したいずれか一方のモードで、絶対出力データを生成することを特徴とする。
【００１４】
タブレットシートの押圧位置での接触抵抗値ｒPによって、絶対値出力モードが選択されると、押圧位置データをそのまま用いて生成された絶対出力データがパーソナルコンピュータに出力される。接触抵抗値ｒPが、絶対値出力モードを選択したときの接触抵抗値ｒPと異なる値となり、相対値出力モードが選択されると、直前に生成された絶対出力データに押圧移動前後の相対移動量を表す相対位置データを加えた絶対出力データがパーソナルコンピュータに出力される。
【００１５】
従って、絶対出力データの入力によってカーソルを移動するパソコンに対して、接触抵抗値ｒPを変えることによって、絶対値出力モードと相対値出力モードの絶対出力データを任意に出力することができる。絶対値出力モードとすると、一度の操作でカーソルをディスプレー上の離れた位置に移動させることができ、また、互いに離れた位置にカーソルの移動軌跡を形成することができる。相対値出力モードとすると、タブレットシートの任意の位置で押圧移動操作ができ、また、押圧を解除して移動した相対移動量は相対位置データとならないので、押圧移動操作中にタブレットシートの押圧を解除しても押圧移動操作の連続性が損なわることがない。
【００１６】
請求項２の抵抗感圧式座標入力装置は、タブレットシートと、タブレットシートの押圧を検出するペンオン検出手段と、タブレットシートの押圧を検出した後、タブレットシートの押圧位置を表す押圧位置データ（ｘn，ｙn）を発生させる位置検出手段と、押圧位置データ（ｘn，ｙn）を少なくとも次の押圧位置データが発生されるまで記憶する記憶手段と、前後の押圧位置データを比較して相対位置データ（ｘn−ｘn-1，ｙn−ｙn-1）を算出し、相対位置データ（ｘn−ｘn-1，ｙn−ｙn-1）からカーソルを移動制御する相対出力データ（Ｘ´n，Ｙ´n）を生成する出力データ生成手段と、相対出力データ（Ｘ´n，Ｙ´n）をパーソナルコンピュータへ出力するデータ出力手段とを備え、タブレットシートの押圧操作に従ってパーソナルコンピュータのディスプレーに表示されたカーソルを移動制御する抵抗感圧式座標入力装置において、
タブレットシートの押圧が解除されてから再び押圧を検出したときに、出力データ生成手段は、タブレットシートの押圧を解除した位置の押圧位置データ（ｘn-1，ｙn-1）と押圧を検出した位置の押圧位置データ（ｘn，ｙn）を比較して相対位置データ（ｘn−ｘn-1，ｙn−ｙn-1）を算出し、相対位置データ（ｘn−ｘn-1，ｙn−ｙn-1）から相対出力データ（Ｘ´n，Ｙ´n）を生成する絶対値出力モードと、タブレットシートの押圧を解除した位置の押圧位置データ（ｘn-1，ｙn-1）を無効とし、相対出力データ（Ｘ´n，Ｙ´n）を生成しない相対値出力モードを選択可能で、タブレットシートの押圧位置での接触抵抗値ｒPによって選択したいずれか一方のモードで、相対出力データを生成することを特徴とする。
【００１７】
タブレットシートの押圧位置での接触抵抗値ｒPによって、絶対値出力モードが選択されると、タブレットシートの押圧解除してから再び押圧した位置までの相対移動量を表す相対位置データから相対出力データが生成され、パーソナルコンピュータに出力される。接触抵抗値ｒPが、絶対値出力モードを選択したときの接触抵抗値ｒPと異なる値となり、相対値出力モードが選択されると、タブレットの押圧を検出したときに、相対出力データは生成されない。
【００１８】
従って、相対出力データの入力によってカーソルを移動するパソコンに対して、接触抵抗値ｒPを変えることによって、絶対値出力モードと相対値出力モードの絶対出力データを任意に出力することができる。絶対値出力モードとすると、押圧を解除して移動したときの相対移動量から相対出力データが出力されるので、一度の操作でカーソルをディスプレー上の離れた位置に移動させることができ、また、タブレットシートを押圧を検出しているときにのみ、移動軌跡を生じるようにすれば、互いに離れた位置にカーソルの移動軌跡を形成することができる。相対値出力モードとすると、タブレットシートの押圧を検出したときには、相対出力データが生成されないので、タブレットシートの押圧を一時解除しても、カーソルの移動制御を連続させることができる。
【００１９】
請求項３の抵抗感圧式座標入力装置は、ペンでの押圧による接触抵抗値ｒ1Pと、指での押圧による接触抵抗値ｒ2Pを判別して、出力データ生成手段のモードを選択することを特徴とする。
【００２０】
ペンと指によるタブレットシートの押圧面積は異なるので、同等の押圧力でタブレットシートを押圧すると、その押圧位置での接触抵抗値ｒPが異なる。従って、タブレットシートの押圧をペンと指で変えることによって、絶対出力モードと相対出力モードを選択することができる。
【００２１】
請求項４の抵抗感圧式座標入力装置は、タブレットシートと接触する接触部の曲率を異ならせた２種類のペンでの押圧による接触抵抗値ｒPの相違を判別して、出力データ生成手段のモードを選択することを特徴とする。
【００２２】
接触部の曲率の異なる２種類のペンによるタブレットシートの押圧面積は異なるので、同等の押圧力でタブレットシートを押圧すると、その押圧位置での接触抵抗値ｒPが異なる。従って、２種類のペンを交換することによって、絶対出力モードと相対出力モードを選択することができる。
【００２３】
請求項５の抵抗感圧式座標入力装置は、タブレットシートの押圧を検出したときの押圧位置での接触抵抗値ｒPによって、出力データ生成手段のモードを選択することを特徴とする。
【００２４】
タブレットシートを押圧したときに、出力データ生成手段が絶対値出力モードである場合には、押圧を解除した位置から押圧位置に対応する位置にカーソルが移動し、相対値出力モードである場合には、タブレットシートを押圧したときにカーソルが移動することはない。従って、タブレットシートの押圧を解除した後、再びタブレットシートを押圧するときに、その押圧位置での接触抵抗値ｒPによってモードを選択し、押圧位置に対応する位置にカーソルを移動させるか、押圧の一時解除があってもカーソル移動制御を連続させるかを選択することができる。
【００２５】
【発明の実施の形態】
以下、本発明の一実施の形態について図面を参照しながら説明する。なお、従来と同一の構成については、同一の符号を用いてその説明を省略する。
【００２６】
図１は、本発明の実施の形態に係る抵抗感圧式座標入力装置であるタッチパッド７の斜視図であり、平面上にタブレットシート６を入力面として形成したものである。図のように、タッチパッド７の前方には、マウスのスイッチに対応させた左右一組の押釦スイッチ８、９が備えられ、また、後方には、タッチパッド７のモードを表示する２個の発光素子１１、１２が取り付けられている。
【００２７】
このタッチパッド７は、背面に接続された接続ケーブル１３によってパソコン１に接続され、絶対出力データ（Ｘn、Ｙn）をパソコン１のＩ／Ｏポート４を介してデバイスドライバ３へ出力する。
【００２８】
図２は、このタッチパッド７の回路構成を示すもので、タッチパッド７に備えられたマイコン１０は、Ａ／Ｄコンバータ１４を内蔵し、このＡ／Ｄコンバータ１４は、更に３個の入力端子ＡＤ１、ＡＤ２、ＡＤ３を備え、各入力端子の電位を同時に検出できるようになっている。
【００２９】
マイコン１０には、５個の入出力端子ＲＣＨＫ、ＩＸ+、ＯＸ-、ＩＹ+、ＯＹ-が備えられ、各入出力端子の後段にこれらの端子と内部回路との接続を切り替える電子スイッチ３３〜３７が接続されている。各電子スイッチ３３〜３７は、マイコン１０の後述するスイッチ制御回路１５により個別に動作し、マイコン１０内の内部回路との接続が切り替えられるようになっている。
【００３０】
６０と６１は、タブレットシート６を構成する一対のＸ座標抵抗板とＹ座標抵抗板であり、互いに均一に形成された抵抗層を対向させるようにして、対向面に印刷されたドット状の印刷スペーサ（図示せず）によって、僅かな間隙を隔てて重合されている。
【００３１】
図のように、Ｘ座標抵抗板６０には、Ｘ方向の両端の２辺に沿って、Ｘ＋側電極６０ａとＸ−側電極６０ｂが形成され、Ｘ＋側電極６０ａは、マイコン１０のＩＸ+端子と基準抵抗である可変抵抗ＲCを介してＲＣＨＫ端子に接続し、Ｘ−側電極６０ｂは、マイコン１０のＯＸ-端子に接続している。尚、この基準抵抗ＲCの抵抗値ｒCは、後述するタブレットシート６の接触抵抗値ｒPを算出しやすいように調整した既知の抵抗値である。
【００３２】
また、Ｙ座標抵抗板６１には、Ｙ方向の両端の２辺に沿って、Ｙ＋側電極６１ａとＹ−側電極６１ｂが形成され、Ｙ＋側電極６１ａは、マイコン１０のＩＹ+端子に接続し、Ｙ−側電極６１ｂは、マイコン１０のＯＹ-端子に接続している。
【００３３】
図４は、このタッチパッド７の構成を示すブロック図である。
【００３４】
Ｘ座標抵抗板６０とＹ座標抵抗板６１からなるタブレットシート６には、ペンオン検出回路１６、モード判別回路３１及び押圧位置検出回路１７が接続され、それぞれタッチパッド７がペンオン検出モード、接触抵抗検出モード、Ｘ、Ｙ座標検出モードのモードとなっている間に、タブレットシート６の押圧操作状態を監視している。
【００３５】
以下、これらの回路の動作を図２で説明する。
【００３６】
ペンオン検出回路１６は、例えばタブレットシート６の一方のＸ座標抵抗板６０の電位を監視し、押圧若しくは押圧解除によって、他方のＹ座標抵抗板６１に接離することにより生じる電位変動から、その押圧及び押圧解除を検出するものである。すなわち、ペンオン検出モードでは、図２のＲＣＨＫ+端子をスイッチ３３により電源ＶCCと接続し、Ｘ座標抵抗板６０に基準抵抗ＲCを介して基準検出電圧ＶCCを印加するとともに、ＩＸ+端子をＡ／Ｄコンバータ１４の入力端子ＡＤ１に接続させ、Ｘ座標抵抗板６０の電位を検出するようにしている。また、ＯＹ-入出力端子をスイッチ３７により接地端子と接続するようにして、Ｙ座標抵抗板６１をＧＮＤレベルとしている。
【００３７】
タブレットシート６の押圧が解除されている間は、抵抗板６０、６１間に電流が流れないので、基準抵抗ＲCの両端にも電位降下が生じず、ＩＸ+端子の電位は電源ＶCCの電位に保たれる。
【００３８】
この状態で、タブレットシート６が押圧されると、Ｘ座標抵抗板６０からＹ座標抵抗板６１に電流が流れ、ＩＸ+端子の電位が降下する。従ってこの電位を所定のペンオン検出しきい値ＶTと比較することによって、タブレットシート６が押圧されているか否かを検出する。
【００３９】
ペンオン検出モードによりタブレットシート６の押圧が検出されると、タッチパッド７は、次に接触抵抗検出モードとなり、押圧位置Ｐでの接触抵抗値ｒPを検出する。モード判別回路３１は、この押圧位置Ｐでの接触抵抗値ｒPから後述する出力データ生成手段２１のモードを選択する。
【００４０】
接触抵抗検出モードにおいては、スイッチ制御回路１５により各電子スイッチ３３〜３７を図２に示すように動作させ、マイコン１０の各入出力端子を内部回路と接続させている。すなわち、ＲＣＨＫ+端子は、スイッチ３３により電源ＶCCと接続し、Ｘ座標抵抗板６０のＸ＋側電極６０ａに可変抵抗ＲCを介して基準検出電圧ＶCCを印加している。また、ＩＸ+、ＯＸ-、ＩＹ+の各入出力端子は、スイッチ３４、３５、３６によりそれぞれＡ／Ｄコンバータ１４の入力端子ＡＤ１、ＡＤ２、ＡＤ３に接続し、Ｘ座標抵抗板６０のＸ＋側電極６０ａ、Ｘ−側電極６０ｂ、Ｙ座標抵抗板６１のＹ＋側電極６１ａの電位を検出するようにしている。残るＯＹ-入出力端子は、電子スイッチ３７により接地端子と接続し、Ｙ座標抵抗板６１のＹ−側電極６１ｂをＧＮＤレベルとしている。
【００４１】
図３は、図２の接触抵抗検出モードの等価回路図である。同図のように、Ｘ座標抵抗板６０が押圧されると、押圧位置Ｐにおいて、Ｘ座標抵抗板６０からＹ座標抵抗板６１に接触抵抗を通して電流ｉtが流れる。このとき、ＩＸ+、ＯＸ-、ＩＹ+入出力端子には、それぞれＡ／Ｄコンバータ１４が接続されているので、これらの方向に流れる微小電流を無視すれば、可変抵抗ＲCと接触抵抗ｒPには、等しい電流ｉｔが流れる。
【００４２】
従って、その両端の電位差をそれぞれ第１電位差ＶA、第２電位差ＶB、基準抵抗である可変抵抗ＲCの抵抗値をｒCとすれば、ＶA／ｒC＝ＶB／ｒPの関係から、ｒP＝ｒC＊ＶB／ＶAによって、接触抵抗値ｒPを検出することができる。
【００４３】
同図から明らかなように、この第１電位差ＶAは既知の基準検出電圧ＶCCとＡ／Ｄコンバータ１４の入力端子ＡＤ１の電位Ｖ1から、第２電位差ＶBは、Ａ／Ｄコンバータ１４の入力端子ＡＤ２とＡＤ３との電位Ｖ2、Ｖ3から求めることができるので、モード選択回路でｒP＝ｒC＊ＶB／ＶAより接触抵抗値ｒPを算出することができる。
【００４４】
この接触抵抗値ｒPの算出に、このモードにおいて流れる電流ｉｔは影響しない。つまり、抵抗板間の接触位置（ｘp、ｙp）が変化して抵抗板６０、６１に流れる電流ｉｔが変化しても、電流ｉｔと無関係に接触抵抗値ｒPを検出できるものであり、接触抵抗値ｒPを、接触位置ＰのＸ座標（ｘp）とＹ座標（ｙp）と全く独立のパラメータとして検出できるものである。従って、タブレットシート６のどの位置を押圧しても、同じようにタブレットシート６を押圧するかぎり接触抵抗値ｒPは変化せず、逆に、押圧方法を変えて接触抵抗値ｒPの大きさを変えることによって、出力データ生成手段２１のモードを選択することができる。本実施の形態においては、ペンの押圧による接触抵抗値ｒ1Pと指での押圧による接触抵抗値ｒ2Pの境界値をｒTPとし、モード判別回路３１において、接触抵抗値ｒPが境界値ｒTPより大きいときに指での押圧による接触抵抗値ｒ2Pとして相対値出力モードと、境界値ｒTP以下のときにペンの押圧による接触抵抗値ｒ1Pとして絶対値出力モードとして、これらのモードを表すモード判別信号を中央制御回路３８へ出力する。
【００４５】
ペンオンが検出され、モード判別信号が出力されると、タッチパッド７は、Ｘ、Ｙ座標検出モードに移行し、押圧位置検出回路１７において、タブレットシート６の接触位置（押圧位置）を検出する。押圧位置ＰのＸ、Ｙ座標検出は、タッチパッド７をＸ、Ｙ座標検出モードとして、Ｘ座標抵抗板６０とＹ座標抵抗板６１に交互に電位勾配を形成することにより行う。
【００４６】
すなわち、Ｘ座標検出モードにおいては、電子スイッチ４によりＩＸ+入力端子を電源ＶCCと接続し、ＩＸ+入力端子からＸ座標抵抗板６０のＸ＋側電極６０ａに基準検出電圧ＶCCを印加するとともに、ＯＸ-入出力端子を電子スイッチ３５により接地させて、Ｘ座標抵抗板６０の他方のＸ−側電極６０ｂを接地し、Ｘ座標抵抗板６０に均一な傾きの電位勾配を形成する。
【００４７】
また、Ｙ座標抵抗板６１は、Ｙ−側電極６１ｂと接続するＯＹ-入出力端子を電子スイッチ３７によりオフとし、Ｘ座標抵抗板６０との接触位置からＹ座標抵抗板６１に電流が流れないようにするとともに、ＩＹ+入出力端子を電子スイッチ３６によりＡ／Ｄコンバータ１４の入力端子ＡＤ３に接続し、Ｙ座標抵抗板６１のＹ＋側電極６１ａから押圧位置Ｐの電位を検出するようにしている。
【００４８】
Ｘ座標抵抗板６０には、均一な傾きの電位勾配が形成されているので、この入力端子ＡＤ３で検出した電位ＶxPによって接触位置ＰのＸ座標（ｘP）をマイコン１０の押圧位置検出回路１７で計算して検出することができる。
【００４９】
Ｘ座標を検出した後、同様の方法で、タッチパッド７をＹ座標検出モードとして、Ｙ座標を検出する。すなわち、電子スイッチ３６、３７の動作により、Ｙ座標抵抗板６１のＹ＋側電極６１ａに基準検出電圧ＶCCを印加するとともに、他方のＹ−側電極６１ｂを接地し、Ｙ座標抵抗板６１に均一な傾きの電位勾配を形成している。また、電子スイッチ３４、３５の動作により、Ｘ座標抵抗板６０のＸ−側電極６０ｂ端子をオフとし、Ｙ座標抵抗板６１との接触位置からＸ座標抵抗板６０に電流が流れないようにするとともに、Ｘ＋側電極６０ａと接続するＩＸ+入出力端子をＡ／Ｄコンバータ１４の入力端子ＡＤ１に接続し、Ｘ＋側電極６０ａから接触位置Ｐの電位を検出するようにしている。
【００５０】
そしてＸ座標の検出と同様に、入力端子ＡＤ１で検出した電位ＶyPから接触位置ＰのＹ座標（ｙP）を、押圧位置検出回路１７で計算して検出する。
【００５１】
続いて、タッチパッド７を、再びペンオン検出モードとして、ペンオフと判定されない限り、上述の接触抵抗検出モードとＸ、Ｙ座標検出モードを繰り返し、後述する出力データ生成手段２１のモードの判別と接触位置ＰのＸ座標（ｘp）とＹ座標（ｙp）検出を行う。
【００５２】
図４に示すように、押圧位置検出回路１７は、このようにして周期的に検出した押圧位置データ（ｘn，ｙn）を、押圧位置データ補正・発生回路１８へ出力する。押圧位置データ補正・発生回路１８は、ペンオン検出回路１６、押圧位置検出回路１７と中央制御回路３８と接続し、ペンオン検出回路１６でタブレットシート６の押圧を検出した後、押圧位置検出回路１７から入力された複数の押圧位置データ（ｘ，ｙ）の互いの相関をとり、異常値の押圧位置データ（ｘ，ｙ）を排除して、押圧位置データ（ｘn，ｙn）とする。
【００５３】
押圧位置データ補正・発生回路１８の出力には、押圧位置データ記憶回路１９が接続している。押圧位置データ記憶回路１９は、後述する絶対出力データ生成回路２１が絶対出力データ（Ｘn，Ｙn）を生成する毎に、そのときの押圧位置データ補正・発生回路１８の押圧位置データ（ｘn，ｙn）を記憶する。
【００５４】
相対位置データ算出回路２０は、押圧位置データ補正・発生回路１８から押圧位置データ（ｘn，ｙn）が直接入力される毎に、前回絶対出力データ（Ｘn-1，Ｙn-1）が生成されたときに記憶した押圧位置データ（ｘn-1，ｙn-1）を押圧位置データ記憶回路１９から呼び出し、これらの差で相対位置データｋ（ｘn−ｘn-1，ｙn−ｙn-1）とするものである。この相対位置データ（ｘn−ｘn-1，ｙn−ｙn-1）は、押圧位置データ補正・発生回路１８から新たに押圧位置データ（ｘn，ｙn）が入力される毎に算出され、絶対出力データ生成回路２１へ出力される。
【００５５】
タッチパッド７に備えられた左右の押釦スイッチ８、９は、それぞれスイッチ押圧検出回路２２に接続し、いずれかのスイッチが押し下げられたときに、その押し下げ動作を検出できるようになっている。スイッチ押圧検出回路２２は、中央制御回路３８と絶対出力データ生成回路２１に接続し、検出した各スイッチの動作状態を示すスイッチデータを出力している。
【００５６】
押釦スイッチ８、９は、マウス２に備えられている左右のスイッチに対応するもので、これらのスイッチを操作すると、マウスの左右のスイッチを操作したときと同じ絶対出力データが生成される。ドラッグなどマウスに特有の操作は、マウスの左スイッチに対応する押釦スイッチ８を操作することによって行うことができる。
【００５７】
中央制御回路３８は、モード判別回路３１とペンオン検出回路１６とスイッチ押圧検出回路２２の出力側と押圧位置データ補正・発生回路１８に接続し、モード判別回路３１から出力されたモード選択信号と、ペンオン検出回路１６から出力されたタブレットシート６の押圧状態を表すペンオン検出信号を絶対出力データ生成回路２１に出力する。
【００５８】
出力データ生成手段である絶対出力データ生成回路２１は、スイッチデータと押圧位置データ（ｘn，ｙn）若しくは相対位置データ（ｘn−ｘn-1，ｙn−ｙn-1）をもとに、表１のフォーマットの絶対出力データ（Ｘn，Ｙn）を生成する。表１は、１バイト１０ビットの５バイトからなるデータフォーマットで、パソコン１のディスプレー５上のカーソル移動制御先を示す絶対値が、２進数の座標値Ｘ、Ｙで表わされている。
【００５９】
【表１】
0003705455.tif 000002
【００６０】
表１において、Ｐはパリティビット、Ｆは有効領域指定ビットで、有効領域指定ビットが”０”はタブレットシート６の有効座標読取り範囲内で押圧されていることを、”１”はタブレットシート６の有効座標読取り範囲内で押圧されていないことを各々示している。すなわち、Ｆが”０”であるとき押圧による有効データとして扱われる。Ｘ０〜Ｘ１１（１２ビット）はディスプレー５の横軸座標値（Ｘ）を２進表示するビット、Ｙ０〜Ｙ１１（１２ビット）は同縦軸座標値（Ｙ）を２進表示するビットで、数値の小さいほど下位のビットを表わし、Ｘ０，Ｙ０が各々最下位ビットを表わしている。
【００６１】
Ｓ０，Ｓ１は、左右の押釦スイッチ８、９の動作状態を表すスイッチデータのビットで、例えば、押釦スイッチ８、９が押し下げらると、対応するビットＳ０，Ｓ１のデータが”０”から”１”に変化する。
【００６２】
絶対出力データ生成回路２１は、中央制御回路３８からモード選択信号を入力する毎に、絶対値出力モードと相対値出力モードとの間で、モードが切り替わる。絶対値出力モードにおいては、押圧位置データ補正・発生回路１８から直接入力されたｘ、ｙ各１２ビットの押圧位置データ（ｘn，ｙn）をそのままＸ０〜Ｘ１１とＹ０〜Ｙ１１のデータとして、絶対出力データ（Ｘn，Ｙn）を生成する。
【００６３】
また、相対値出力モードにおいては、その直前に生成した絶対出力データ（Ｘn-1，Ｙn-1）に相対位置データ算出回路２０から出力された相対位置データ（ｘn−ｘn-1，ｙn−ｙn-1）を加えて、新たな絶対出力データ（Ｘn，Ｙn）を生成するものである。すなわち、直前に生成した絶対出力データ（Ｘn-1，Ｙn-1）のＸ０〜Ｘ１１で表される１２ビットの座標値Ｘn-1に（ｘn−ｘn-1）を加えて、新たな絶対出力データ（Ｘn，Ｙn）のＸ０〜Ｘ１１で表される座標値Ｘnとする。また、同様に、絶対出力データ（Ｘn-1，Ｙn-1）のＹ０〜Ｙ１１で表される１２ビットの座標値Ｙn-1に（ｙn−ｙn-1）を加えて、新たな絶対出力データ（Ｘn，Ｙn）のＹ０〜Ｙ１１で表される座標値Ｙnとする。
【００６４】
この相対値出力モードにおける生成のために、絶対出力データ生成回路２１には絶対出力データ記憶回路２３が接続され、絶対出力データ（Ｘn，Ｙn）が生成される毎に記憶している。そして、相対値出力モードで新たに絶対出力データ（Ｘn，Ｙn）を生成する際には、その前に絶対出力データ記憶回路２３で記憶した絶対出力データを直前に生成した絶対出力データ（Ｘn-1，Ｙn-1）として呼び出すものである。
【００６５】
尚、相対値出力モードにおいては、ペンオン検出信号を入力している間に、連続して押圧位置データ（ｘn，ｙn）を入力した場合、すなわちタブレットシート６を押圧しながら押圧位置を移動させた場合にのみ、上記絶対出力データ（Ｘn，Ｙn）を出力するものであり、押圧が解除されている間、及び押圧を検出した直後は、押圧位置データ（ｘn，ｙn）が押圧位置データ記憶回路１９に記憶されるだけであり、絶対出力データ（Ｘn，Ｙn）は出力されない。従って、押圧を解除したときに出力された絶対出力データが直前に生成した絶対出力データ（Ｘn-1，Ｙn-1）となり、カーソルは、押圧を解除した位置から新たに押圧移動する方向に移動することとなる。
【００６６】
絶対出力データ生成回路２１で形成された絶対出力データ（Ｘn，Ｙn）は、送信データとしてデータ出力手段である入出力インターフェース２４からパソコン１へ出力される。尚、図中波線内に示す各回路は、中央制御回路３８とともに１チップのマイコンとして集積化されている。
【００６７】
このように構成されたタッチパッド７の作用を、図４と図５で説明する。図５は、タッチパッド７の操作とディスプレー５上のカーソルの移動の関係を示した説明図である。
【００６８】
図５に示すように、ディスプレー５上の「ａ´」に表示されたカーソルを「文字認識」と表示されたアイコンまで移動させ、パソコン１に文字認識を実行させるものとする。カーソルは、以前の操作によって「ａ´」の位置に対応する絶対出力データ（Ｘ0，Ｙ0）が出力され、ディスプレー５の右上隅に表示されているものであるが、このカーソルの移動制御は、タブレットシート６のほぼ中央を「ｂ」から「ｃ」へ指で押圧することにより行うことができる。「ｂ」の位置が押圧されると、タブレットシート６の押圧が検出されるとともに、その押圧の際の接触抵抗値ｒPが検出される。タブレットシート６は、指で押圧されているので、接触抵抗値ｒPは境界値をｒTPより大きく、モード判別回路３１により相対値出力モードと判別され、絶対出力データ生成回路２１は、相対値出力モードとなる。
【００６９】
一方、押圧位置検出回路１７によって、「ｂ」の押圧位置データが検出されるが、ペンオンを検出した直後であるので、この押圧位置データ（ｘ0，ｙ0）は押圧位置データ記憶回路１９に記憶されるだけで、絶対出力データ（Ｘn，Ｙn）は出力されない。「ｃ」の方向に押圧移動することによって、新たな押圧位置データ（ｘ1，ｙ1）が検出され、相対位置データ算出回路２０は、直前の押圧位置データ（ｘ0，ｙ0）と新たに押圧位置データ補正・発生回路１８から入力した押圧位置データ（ｘ1，ｙ1）とから、（ｘ1−ｘ0，ｙ1−ｙ0）の相対位置データを算出する。
【００７０】
絶対出力データ生成回路２１は、相対値出力モードとなっているので、この相対位置データ（ｘ1−ｘ0，ｙ1−ｙ0）を直前の絶対出力データ（Ｘn-1，Ｙn-1）に加えて、新たな絶対出力データ（Ｘ1，Ｙ1）とする。この直前の絶対出力データは、「ｂ」を押圧したときには生成されていないので、「ａ´」の位置に対応する絶対出力データ（Ｘ0，Ｙ0）である。すなわち、Ｘ1は、Ｘ0＋（ｘ1−ｘ0）と、Ｙ1は、Ｙ0＋（ｙ1−ｙ0）となり、カーソルは「ａ´」から移動する。従って、タブレットシート６の中央で「ｂ」から「ｃ」の方向に押圧移動することによって、カーソルを「ａ´」から「文字認識」のアイコン方向へ移動制御することができる。この移動制御においては、タブレットシート６の押圧を一時解除してもカーソルの移動を連続させることができる。
【００７１】
同様の操作によって、「文字認識」上にアイコンを移動させた後、押釦スイッチ８を押圧すると、パソコン１は、文字認識処理のプログラムを実行し、文字入力待機状態となる。文字入力は、タブレットシート６の入力面に所定の文字を押圧移動することによって描き、その軌跡によって入力するものであるが、この入力は、タブレットシート６をペンにより押圧することにより行う。
【００７２】
例えば、「い」の文字をタブレットシート６で入力するものすると、「ｅ」から「ｆ」へ押圧移動を行う。「ｅ」の位置が押圧されると、タブレットシート６の押圧が検出されるとともに、その押圧の際の接触抵抗値ｒPが検出される。タブレットシート６は、ペンで押圧されているので、指で押圧する場合に比べて抵抗板６０、６１間の接触面積が狭くなり、単位面積当たりの接触圧が増すことによって、押圧位置での接触抵抗値ｒPが低下し、境界値をｒTP以下となる。従って、モード判別回路３１により絶対値出力モードと判別され、絶対出力データ生成回路２１は、絶対値出力モードとなる。
【００７３】
一方、押圧位置検出回路１７によって「ｅ」の押圧位置データ（ｘ0，ｙ0）が検出され、絶対値出力データ生成回路２１は、絶対値出力モードとなっているので、この押圧位置データ（ｘ0，ｙ0）をそのまま用いて絶対出力データ（Ｘ0，Ｙ0）とする。従って、「文字認識」のアイコンにあったカーソルは、押圧位置データ（ｘ0，ｙ0）に対応するディスプレー５上の「ｅ´」に表示される。同様に、「ｅ」から「ｆ」へ押圧移動を行うと、押圧位置の押圧位置データ（ｘn，ｙn）を含む絶対出力データ（Ｘn，Ｙn）が出力され、押圧位置に対応してカーソルが「ｅ´」から「ｆ´」に移動する。「ｆ」において押圧を解除し、再び「ｇ」を押圧すると、「ｇ」の位置の押圧位置データ（ｘn，ｙn）を含む絶対出力データ（Ｘn，Ｙn）が出力され、カーソルは、「ｇ」の位置に対応する「ｇ´」に移動する。すなわち、タブレットの押圧を「ｆ」で解除することによって、カーソルの移動が中断され、「ｇ」の位置を押圧しても再び「ｆ´」からカーソルが移動することがないので、互いに離れた移動軌跡からなる文字を入力する際に、特に別の操作を行うことなく、一連の入力操作で文字入力を行うことができる。
【００７４】
尚、パソコン１では、「ｅ」から「ｆ」へ押圧移動の際には、有効領域指定ビットＦが「０」であるので移動軌跡と、「ｆ」から「ｇ」の移動の際には、有効領域指定ビットＦが「１」であるので単なるカーソルのみの移動と判別する。「ｇ」から「ｈ」へ押圧移動することにより、同様にカーソルは、「ｇ´」から「ｈ´」まで移動する。
【００７５】
尚、絶対出力データ生成回路２１がいずれのモードであるかを識別するために、相対値出力モードであるときには発光素子１１が、絶対値出力モードであるときには発光素子１２が、それぞれ点灯する。
【００７６】
上記第１の実施の形態に係る抵抗感圧式座標入力装置は、タブレットなどのデバイスと同一のフォーマットで絶対出力データ（Ｘn，Ｙn）を出力するものであるが、マウスと接続するデバイスドライバは、相対出力データ（Ｘ´n，Ｙ´n）をもとにカーソルを移動させるものであるため、マウスとコンパチブルでパソコン１へ接続することはできない。
【００７７】
図６は、本発明の第２の実施の形態に係る抵抗感圧式座標入力装置のブロック図を示すもので、マウスと同一のフォーマットの相対出力データ（Ｘ´n，Ｙ´n）を出力するものである。以下、この第２の実施の形態に係るタッチパッド３０について、第１の実施の形態と異なる構成について説明し、上記実施の形態と同一の構成については、同一の符号を用いてその説明を省略する。
【００７８】
図４と比較して明らかなように、第１の実施の形態に係るタッチパッド７とほぼ同一の構成であるが、タッチパッド３０には、絶対出力データ記憶回路２３がなく、出力データ生成手段は、押圧位置データ補正・発生回路１８の代わりに押圧位置データ記憶回路１９と接続し、また出力データ生成手段が相対出力データ生成回路３９となっている。
【００７９】
相対出力データ生成回路３９は、中央制御回路３８からモード選択信号を入力する毎に、絶対値出力モードと相対値出力モードとの間で、モードが切り替わる。
【００８０】
相対出力データ生成回路３９が絶対値出力モードであるときには、常に連続して入力される押圧位置データ（ｘn，ｙn）の差より算出した相対位置データ（ｘn−ｘn-1，ｙn−ｙn-1）から相対出力データ（Ｘ´n，Ｙ´n）を生成する。すなわち、タブレットシート６の押圧が一時解除されても、新たに押圧を検出したときに、押圧を解除した位置の押圧位置データ（ｘ0，ｙ0）と押圧を検出した位置の押圧位置データ（ｘ1，ｙ1）の差から算出された相対位置データ（ｘ1−ｘ0，ｙ1−ｙ0）をもとに、相対出力データ（Ｘ´1，Ｙ´1）が生成され、パソコン１へ出力される。従って、押圧を解除しながら移動した相対移動量が、パソコン１へ伝達されるので、カーソルは、見掛け上、タブレットシート６の押圧位置に対応した位置に表示されるように移動制御される。例えば、図５において、タブレットシート６の「ｆ」で押圧を解除し、「ｇ」で再び押圧すると、第１の実施の形態と同様に、カーソルは、「ｆ´」から「ｇ´」へ移動する。
【００８１】
一方、相対値出力モードであるときには、タブレットシートの押圧が解除されてから再び押圧を検出したとき、すなわち中央制御回路３８から新たにペンオン検出信号を入力したときに、相対出力データ（Ｘ´1，Ｙ´1）が生成されない。すなわち、押圧位置データ記憶回路に記憶されていた押圧位置データ（ｘn-1，ｙn-1）、つまりタブレットシート６の押圧を解除した位置の押圧位置データ（ｘ0，ｙ0）は、新たに押圧を検出した位置の押圧位置データ（ｘ1，ｙ1）に書き替えられるが、相対位置データ（ｘ1−ｘ0，ｙ1−ｙ0）をもとにした相対出力データ（Ｘ´1，Ｙ´1）が生成されないので、押圧を解除しながら移動した相対移動量は、パソコン１へ伝達されない。押圧を検出したとき以外は、絶対値出力モードと同様の処理が行われ、更に押圧移動を行い、新たな押圧位置データ（ｘ2，ｙ2）が入力されると、相対位置データ（ｘ2−ｘ1，ｙ2−ｙ1）をもとにした相対出力データ（Ｘ´2，Ｙ´2）が生成され、パソコン１へ出力される。従って、タブレットシート６の押圧を一時解除してもカーソルは、押圧を解除した位置から移動し、その移動操作の連続性が損なわれることがない。
【００８２】
以上のように、上記実施の形態によれば、入力操作の内容に応じて、マウスのような相対値出力とタブレットのような絶対値出力を選択することができ、いずれか都合の良い出力形式でパソコン１へデータを出力することができる。しかも、このモード選択は、タブレットシート６の押圧をペンによるか、指によるかで選択することができるので、特に別の操作や入力手段を要しない。
【００８３】
また、上記実施の形態では、タブレットシート６の押圧を指によるかペンによるかで、接触抵抗値ｒPを変えて出力データ生成手段のモードを選択したが、接触抵抗値ｒPを変えられるものであれば、これに限らず例えば、タブレットシート６と接触する接触部の曲率を互いに異ならせた２種類のペンを使用してもよく、また、指と爪先の２種類の方法でタブレットシート６を押圧してもよい。
【００８４】
更に、例えば１種類のペン、指などの押圧手段で、タブレットシート６の押圧力を変えることによって、接触抵抗値ｒPを変えて出力データ生成手段のモードを選択するものであってもよい。
【００８５】
更に、上記実施の形態では、Ｘ、Ｙ座標を検出する毎に接触抵抗値ｒPを検出し、出力データ生成手段のモードを判別しているが、これに限らず、新たにタブレットシート６の押圧を検出したとき、若しくは、押圧の解除を検出したときにのみ接触抵抗値ｒPを検出し、出力データ生成手段のモードを変更してもよい。
【００８６】
【発明の効果】
以上説明したように、請求項１の発明によれば、絶対値出力モードで押圧位置データ（ｘn，ｙn）をそのまま用いて絶対出力データ（Ｘn，Ｙn）とすることができるので、カーソルの移動先に対応する位置を一度押圧するだけで、カーソルを目的の位置まで移動させることができる。また、相対値出力モードで相対位置データ（ｘn−ｘn-1，ｙn−ｙn-1）を用いて絶対出力データ（Ｘn，Ｙn）とすることができるので、タブレットシートの押圧移動操作を任意のシート上で行うことができる。絶対値出力モードとするか相対値出力モードとするかは、タブレットシート６の押圧方法を変えて押圧位置の接触抵抗値ｒPを変えるだけで簡単に選択できる。従って、モード選択にモード選択スイッチなどを設ける必要がなく、更にモード切り換えの操作を行う必要もない。
【００８７】
請求項２の発明によれば、絶対値出力モードでタブレットシート６の押圧を解除している間の相対位置を表す相対位置データ（ｘn−ｘn-1，ｙn−ｙn-1）から相対出力データ（Ｘ´n，Ｙ´n）を生成するので、見掛け上カーソルの移動先に対応する位置を押圧するだけで、カーソルを目的の位置まで移動させることができる。また、相対値出力モードで、押圧を解除している間の相対位置を表す相対位置データ（ｘn−ｘn-1，ｙn−ｙn-1）によっては、相対出力データ（Ｘ´n，Ｙ´n）を生成しないので、押圧を一時解除してもカーソル表示位置からカーソルの移動制御を連続させることができる。絶対値出力モードとするか相対値出力モードとするかは、タブレットシート６の押圧方法を変えて押圧位置の接触抵抗値ｒPを変えるだけで簡単に選択できる。従って、モード選択にモード選択スイッチなどを設ける必要がなく、更にモード切り換えの操作を行う必要もない。
【００８８】
請求項３と請求項４の発明によれば、簡単に接触抵抗値ｒPを変えて絶対値出力モードと相対値出力モードを選択することができる。
【００８９】
請求項５の発明によれば、タブレットシートの押圧を解除した後、再びタブレットシートを押圧するときに、一度その押圧位置での接触抵抗値ｒPによって絶対値出力モードと相対値出力モードモードを選択するだけで、押圧の解除があってもカーソルの移動を連続させるか、カーソルを直接ディスプレー上の所定位置まで移動させるかを選択することができる。
【００９０】
【図面の簡単な説明】
【図１】本発明の実施の形態に係る抵抗感圧式座標入力装置であるタッチパッド７の斜視図である。
【図２】タッチパッド７の回路図である。
【図３】タッチパッド７の等価回路図である。
【図４】タッチパッド７の構成を示すブロック図である。
【図５】タッチパッド７の操作とディスプレー５上のカーソルの移動の関係を示した説明図である。
【図６】第２の実施の形態に係るタッチパッド３０のブロック図である。
【図７】従来のマウス２の操作とディスプレー５上のカーソルの移動の関係を示した説明図である。
【図８】従来のタッチパッド７の操作とディスプレー５上のカーソルの移動の関係を示した説明図である。
【符号の説明】
６            タブレットシート
７、３０      抵抗感圧式座標入力装置
１６          ペンオン検出手段
１８          位置検出手段
１９          記憶手段
２１、３９    出力データ生成手段
２４          データ出力手段
ｘn，ｙn      押圧位置データ
Ｘn，Ｙn      絶対出力データ
Ｘ´n，Ｙ´n  相対出力データ
ｒP           接触抵抗値
【図１】
0003705455.tif 000003
【図２】
0003705455.tif 000004
【図３】
0003705455.tif 000005
【図４】
0003705455.tif 000006
【図５】
0003705455.tif 000007
【図６】
0003705455.tif 000008
【図７】
0003705455.tif 000009
【図８】
0003705455.tif 000010